(57)【要約】【課題】構造を簡素化しつつ、左目用または右目用に容易に切り替えることができる頭部装着型表示装置を提供する。【解決手段】頭部装着型表示装置１は、画像光を出射する表示部２と、表示部２を支持するとともに、観察者の頭部に装着される装着部５とを備える。装着部５は、観察者の耳に保持される湾曲部５１と、湾曲部５１の一端に接続され、湾曲部５１及び表示部２間に設けられる第１接続部５２と、湾曲部５１の他端に接続される第２接続部５３とを備える。第１接続部５２及び湾曲部５１同士と、第２接続部５３及び湾曲部５１同士とは、それぞれ相対的に回転可能に構成されている。【選択図】図２
2013162363.tif 000002
【特許請求の範囲】
【請求項１】
画像光を出射する表示部と、
前記表示部を支持するとともに、観察者の頭部に装着される装着部とを備え、
前記装着部は、
観察者の耳に保持される湾曲部と、
前記湾曲部の一端に接続され、前記湾曲部及び前記表示部間に設けられる第１接続部と、
前記湾曲部の他端に接続される第２接続部とを備え、
前記第１接続部及び前記湾曲部同士と、前記第２接続部及び前記湾曲部同士とは、それぞれ相対的に回転可能に構成されている
ことを特徴とする頭部装着型表示装置。
【請求項２】
請求項１に記載の頭部装着型表示装置において、
前記第１接続部は、
折り曲げ可能、かつ折り曲げられた状態で装着可能に構成されている
ことを特徴とする頭部装着型表示装置。
【請求項３】
請求項２に記載の頭部装着型表示装置において、
前記第１接続部は、
前記湾曲部に固定され、折り曲げ可能、かつ折り曲げられた状態で装着可能に構成されたワイヤーと、
前記ワイヤーを被覆する被覆部材とを備える
ことを特徴とする頭部装着型表示装置。
【請求項４】
請求項２に記載の頭部装着型表示装置において、
前記第１接続部は、
前記湾曲部に対して回転可能に取り付けられる回転部と、
前記回転部に固定され、折り曲げ可能、かつ折り曲げられた状態で装着可能に構成された折曲部とを備える
ことを特徴とする頭部装着型表示装置。
【請求項５】
請求項１から請求項４のいずれかに記載の頭部装着型表示装置において、
前記装着部には、
当該頭部装着型表示装置が観察者に装着された状態で、観察者の頭部に当接する当接部が取り付けられ、
前記装着部及び前記当接部同士は、相対的に回転可能に構成されている
ことを特徴とする頭部装着型表示装置。
【請求項６】
請求項５に記載の頭部装着型表示装置において、
前記当接部には、
観察者の頭部に当接する位置に、クッション部材が取り付けられている
ことを特徴とする頭部装着型表示装置。
【請求項７】
請求項５または請求項６に記載の頭部装着型表示装置において、
前記第２接続部は、
前記湾曲部に接続され、当該頭部装着型表示装置が観察者に装着された状態で、前記湾曲部から離間するにしたがって下方に傾斜して延びる延出部と、
前記延出部における前記湾曲部から離間する側の端部から略直交する方向に延びる基部とを備え、
前記当接部は、
前記基部に取り付けられている
ことを特徴とする頭部装着型表示装置。
【請求項８】
請求項７に記載の頭部装着型表示装置において、
前記第２接続部は、
前記基部と、
前記基部の互いに対向する各端部から略平行に延びる一対の前記延出部とを備え、
前記湾曲部は、
２つ設けられ、前記一対の延出部の各先端にそれぞれ接続され、
前記第１接続部は、
２つの前記湾曲部のいずれか一方の湾曲部に接続されている
ことを特徴とする頭部装着型表示装置。
【発明の詳細な説明】
【技術分野】
【０００１】
本発明は、観察者の頭部に装着される頭部装着型表示装置に関する。
【背景技術】
【０００２】
従来、ＬＣＤ(Liquid Crystal Display)等の表示素子にて形成された画像を光学系により観察者に観察させる頭部装着型表示装置が提案されている（例えば、特許文献１参照）。
特許文献１に記載の頭部装着型表示装置は、表示ユニットを支持する支持アームと、観察者の頭部に装着される支持体とを備え、支持体に設けられたソケットに支持アームが挿入されることで、表示ユニットが着脱自在に支持体に支持される。
そして、表示ユニットを支持体に対して着脱することで、左目用（観察者の左目にて画像を観察させる状態）または右目用（観察者の右目にて画像を観察させる状態）に切替可能とする。
【先行技術文献】
【特許文献】
【０００３】
【特許文献１】特開平１０−７５４０８号公報
【発明の概要】
【発明が解決しようとする課題】
【０００４】
しかしながら、特許文献１に記載の頭部装着型表示装置では、左目用または右目用に切り替える際、表示ユニットを支持体から取り外す必要があり、観察者が煩わしく感じてしまう、という問題がある。また、支持体に対して表示ユニットを着脱する構造が必要となり、構造の簡素化が図れない、という問題がある。
【０００５】
本発明の目的は、構造を簡素化しつつ、左目用または右目用に容易に切り替えることができる頭部装着型表示装置を提供することにある。
【課題を解決するための手段】
【０００６】
本発明の頭部装着型表示装置は、画像光を出射する表示部と、前記表示部を支持するとともに、観察者の頭部に装着される装着部とを備え、前記装着部は、観察者の耳に保持される湾曲部と、前記湾曲部の一端に接続され、前記湾曲部及び前記表示部間に設けられる第１接続部と、前記湾曲部の他端に接続される第２接続部とを備え、前記第１接続部及び前記湾曲部同士と、前記第２接続部及び前記湾曲部同士とは、それぞれ相対的に回転可能に構成されていることを特徴とする。
【０００７】
本発明では、装着部は、上述した湾曲部及び第１，第２接続部を備える。
このことにより、観察者は、以下に示す作業を行うことで、頭部装着型表示装置を左目用（装着された状態で表示部が観察者の左側に位置する状態）から右目用（装着された状態で表示部が観察者の右側に位置する状態）に切り替えることができる。なお、右目用から左目用に切り替える場合も同様である。
先ず、観察者は、第２接続部に対して湾曲部（第１接続部及び表示部を含む）を１８０°回転させる。
次に、観察者は、頭部装着型表示装置の上下を引っくり返す。
最後に、観察者は、湾曲部に対して第１接続部（表示部）を１８０°回転させる。
以上のように、観察者は、表示部を着脱することなく、上述した作業により左目用または右目用に容易に切り替えることができる。また、表示部を着脱する構造が不要となるため、構造の簡素化が図れる。
【０００８】
本発明の頭部装着型表示装置では、前記第１接続部は、折り曲げ可能、かつ折り曲げられた状態で装着可能に構成されていることが好ましい。
本発明では、第１接続部が上述したように構成されているので、観察者は、頭部装着型表示装置を装着した状態で、第１接続部を折り曲げることで、自身の左目または右目に対する所望の位置に容易に表示部を位置付けることができる。
【０００９】
本発明の頭部装着型表示装置では、前記第１接続部は、前記湾曲部に固定され、折り曲げ可能、かつ折り曲げられた状態で装着可能に構成されたワイヤーと、前記ワイヤーを被覆する被覆部材とを備えることが好ましい。
本発明では、第１接続部が上述したワイヤー及び被覆部材を備えるので、ワイヤーを捻じることで湾曲部及び第１接続部同士を相対的に回転可能とするとともに、ワイヤーを折り曲げることで第１接続部自体を折り曲げ、かつその状態で装着可能とすることができる。
したがって、第１接続部の構造の簡素化が図れる。
【００１０】
本発明の頭部装着型表示装置では、前記第１接続部は、前記湾曲部に対して回転可能に取り付けられる回転部と、前記回転部に固定され、折り曲げ可能、かつ折り曲げられた状態で装着可能に構成された折曲部とを備えることが好ましい。
本発明では、第１接続部が上述した回転部及び折曲部を備えるので、湾曲部に対して回転部を回転させることで湾曲部及び第１接続部同士を相対的に回転可能とするとともに、折曲部を折り曲げることで第１接続部自体を折り曲げ、かつその状態で装着可能とすることができる。
したがって、第１接続部の構造の簡素化が図れる。
【００１１】
本発明の頭部装着型表示装置では、前記装着部には、当該頭部装着型表示装置が観察者に装着された状態で、観察者の頭部に当接する当接部が取り付けられ、前記装着部及び前記当接部同士は、相対的に回転可能に構成されていることが好ましい。
本発明では、装着部には、観察者の頭部に当接する当接部が取り付けられている。
このことにより、観察者による頭部装着型表示装置の装着感を向上させることができる。
【００１２】
ところで、例えば、頭部装着型表示装置を左目用から右目用に切り替えるために、上述した作業が行われた場合には、当接部の上下も逆転することとなる。
このため、左目用で装着した場合と、右目用で装着した場合とで、観察者の頭部への当接部の当接状態が異なる、すなわち、観察者による頭部装着型表示装置の装着感が異なる恐れがある。
【００１３】
本発明では、装着部及び当接部同士は、相対的に回転可能に構成されている。
このことにより、左目用で装着した場合であっても、右目用で装着した場合であっても、観察者の頭部に合わせて装着部に対して当接部を回転させることができ、観察者の頭部への当接部の当接状態を略同一のものとすることができる。
したがって、左目用で装着した場合と、右目用で装着した場合とで、観察者による頭部装着型表示装置の装着感を略同一のものとすることができる。
【００１４】
本発明の頭部装着型表示装置では、前記当接部には、観察者の頭部に当接する位置に、クッション部材が取り付けられていることが好ましい。
本発明では、当接部に上述したクッション部材が設けられているので、観察者に頭部装着型表示装置が装着された状態では、クッション部材を観察者の頭部に応じて変形させ、観察者の頭部にクッション部材をフィットさせることができる。
したがって、観察者による頭部装着型表示装置の装着感をさらに向上させることができる。
【００１５】
本発明の頭部装着型表示装置では、前記第２接続部は、前記湾曲部に接続され、当該頭部装着型表示装置が観察者に装着された状態で、前記湾曲部から離間するにしたがって下方に傾斜して延びる延出部と、前記延出部における前記湾曲部から離間する側の端部から略直交する方向に延びる基部とを備え、前記当接部は、前記基部に取り付けられていることが好ましい。
【００１６】
本発明では、第２接続部が上述した延出部及び基部を備えるので、観察者に頭部装着型表示装置が装着された状態で、観察者の頭部のうち、後頭部に基部を位置付けることができる。また、当接部が上述した基部に取り付けられているので、観察者に頭部装着型表示装置が装着された状態で、当接部を観察者の後頭部に当接させることができる。
したがって、頭部装着型表示装置を観察者に安定した状態で装着させることができる。
【００１７】
本発明の頭部装着型表示装置では、前記第２接続部は、前記基部と、前記基部の互いに対向する各端部から略平行に延びる一対の前記延出部とを備え、前記湾曲部は、２つ設けられ、前記一対の延出部にそれぞれ接続され、前記第１接続部は、２つの前記湾曲部のいずれか一方の湾曲部に接続されていることが好ましい。
【００１８】
本発明では、延出部及び湾曲部が上述したようにそれぞれ２つ設けられているので、観察者に頭部装着型表示装置が装着された状態で、２つの湾曲部を観察者の両耳に保持させることができる。
したがって、頭部装着型表示装置を観察者に、より一層、安定した状態で装着させることができる。
【図面の簡単な説明】
【００１９】
【図１】第１実施形態における頭部装着型表示装置の装着状態を示す図。
【図２】第１実施形態における頭部装着型表示装置の外観を示す斜視図。
【図３】第１実施形態における表示部の構成を示す図。
【図４】第１実施形態における湾曲部と第１接続部との接続構造を示す図。
【図５】第１実施形態における湾曲部と第２接続部（延出部）との接続構造を示す図。
【図６】第１実施形態における装着部と制御装置との接続構造を示す図。
【図７】第１実施形態における頭部装着型表示装置の左，右目用の切替作業を説明するための図。
【図８】第１実施形態における頭部装着型表示装置の左，右目用の切替作業を説明するための図。
【図９】第１実施形態における頭部装着型表示装置の左，右目用の切替作業を説明するための図。
【図１０】第２実施形態における頭部装着型表示装置の外観を示す斜視図。
【図１１】第２実施形態における湾曲部と第１接続部との接続構造を示す図。
【発明を実施するための形態】
【００２０】
[第１実施形態]
以下、本発明の第１実施形態を図面に基づいて説明する。
〔頭部装着型表示装置の構成〕
図１は、頭部装着型表示装置１の装着状態を示す図である。
図２は、頭部装着型表示装置１の外観を示す斜視図である。
なお、図１及び図２では、説明の便宜上、後述する投射レンズ７１の光軸Ａｘ（図３）に平行となる軸をＺ軸とし、Ｚ軸に直交する水平軸をＸ軸、Ｚ軸に直交する鉛直軸をＹ軸とする。以降の図も同様である。さらに、Ｚ軸において、観察者側（観察者の後方側）を＋Ｚ軸側、観察者から離間する側（観察者の前方側）を−Ｚ軸側とする。
【００２１】
頭部装着型表示装置１は、図１及び図２に示すように、左右いずれか一方の目に画像を表示する単眼式のヘッドマウントディスプレイであり、当該頭部装着型表示装置１を装着した観察者に対して画像光を認識させる。また、本実施形態の頭部装着型表示装置１は、外界像をシースルーで観察させることができるシースルー型の虚像表示装置で構成されている。
この頭部装着型表示装置１は、表示部２と、導光部としての導光板３（図３）と、導光板３を保持するリム４と、装着部５と、当接部としての制御装置９と、鼻パッド部１０とを備える。
【００２２】
〔表示部の構成〕
図３は、表示部２の構成を示す図である。
表示部２は、画像光を形成して投射する部分であり、図３に示すように、表示素子６と、投射光学装置７と、フレーム８とを備える。
表示素子６は、入射した光を変調して画像光を形成する透過型の液晶表示デバイス６１と、液晶表示デバイス６１の光入射側に取り付けられ、液晶表示デバイス６１に対して光を出射するＬＥＤ(Light Emitting Diode)等のバックライト６２とを備える。
投射光学装置７は、表示素子６から出射された画像光を平行光として投射する投射レンズ７１と、投射レンズ７１を内部に収納する鏡筒７２とを備える。この投射光学装置７は、リム４に固定されており、投射レンズ７１は、鏡筒７２及びリム４を介して導光板３に固定されている。これにより、投射レンズ７１は、導光板３に対して位置ずれしないように構成されている。
フレーム８は、中空部材で構成され、リム４に固定されている。
そして、フレーム８内部には、−Ｚ軸側から＋Ｚ軸側に向けて投射光学装置７及び表示素子６が順に並んで配置される。
【００２３】
〔導光板の構成〕
導光板３は、光透過性を有する樹脂材料等から構成され、表示部２から投射された画像光を内部に取り込んだ後、外部の所定位置（観察者の左目または右目）に導く。
この導光板３は、図３に示すように、Ｙ軸に沿う方向から見た場合に略等脚台形状に形成されている。
そして、導光板３には、光入射面３１と、第１反射面３２と、第１全反射面３３と、第２全反射面３４と、第２反射面３５と、光出射面３６とが形成されている。
【００２４】
第１反射面３２は、光入射面３１に対向し、ＸＹ平面に対して傾斜する平坦状の斜面にアルミ蒸着等の成膜を施すことにより形成され、光入射面３１を介して導光板３内部に取り込まれた画像光を第１全反射面３３に向けて反射させる。
第１全反射面３３は、光入射面３１を延長させた（ＸＹ平面に平行となる（光軸Ａｘに直交する））平面で構成され、＋Ｚ軸側に位置する。
第２全反射面３４は、第１全反射面３３に平行となる平坦状に形成され、−Ｚ軸側に位置する。
そして、第１反射面３２にて反射された画像光は、第１，第２全反射面３３，３４での全反射により、光入射面３１及び第１反射面３２から離間する方向に導かれる。
【００２５】
なお、第１，第２全反射面３３，３４としては、表面上にミラーやハーフミラー等を施すことなく空気との界面により画像光を全反射させて導くものに限らず、第１，第２全反射面３３，３４の全体または一部にミラーコートや、ハーフミラー膜が形成されてなされる反射も含むものとする。例えば、画像光の入射角度が全反射条件を満たした上で、第１，第２全反射面３３，３４の全体または一部にミラーコート等が施され、実質的に全ての画像光を反射させる場合も含まれる。また、十分な明るさの画像光を得られるのであれば、多少透過性のあるミラーによって第１，第２全反射面３３，３４の全体または一部がコートされていてもよい。
【００２６】
第２反射面３５は、光出射面３６に対向し、ＸＹ平面に対して傾斜する平坦状に形成され、第１，第２全反射面３３，３４にて導かれた画像光を反射により光出射面３６から外部の所定位置（観察者の左目または右目）に導く。この第２反射面３５は、ハーフミラー等で構成され、画像光を反射させるとともに、外界像も透過可能に構成されている。
なお、第１，第２全反射面３３，３４にて導かれた画像光を外部の所定位置に導く機能を有していれば、ハーフミラー等の第２反射面３５に限らず、偏光ビームスプリッターや、ホログラム回折格子等を採用しても構わない。
【００２７】
〔装着部の構成〕
装着部５は、図１または図２に示すように、観察者の左右の一方の耳から他方の耳にかけて後頭部に沿った形状とされたネックバンドであり、表示部２を支持するとともに、観察者の頭部に装着される部分である。
この装着部５は、図１または図２に示すように、湾曲部５１と、第１接続部５２と、第２接続部５３とを備える。
湾曲部５１は、装着部５が観察者の頭部に装着された状態で観察者の耳に保持される部分であり、樹脂材料または金属材料等から構成され、曲線的に延びる略円柱形状を有する。
本実施形態では、湾曲部５１は、図２に示すように、左右に一対設けられている。
なお、湾曲部５１と、第１，第２接続部５２，５３との各接続構造については、第１，第２接続部５２，５３の構成を説明する際に説明する。
【００２８】
図４は、湾曲部５１と第１接続部５２との接続構造を示す図である。
第１接続部５２は、表示部２と、２つの湾曲部５１のうち、一方の湾曲部５１（図２中、左側に配設される湾曲部５１）とを接続する。
この第１接続部５２は、図４に示すように、ワイヤー５２１と、被覆部材５２２とを備える。
ワイヤー５２１は、金属材料から構成され、湾曲部５１よりも径寸法が小さく可撓性を有する円柱状に形成されている。
そして、ワイヤー５２１は、フレーム８における＋Ｚ軸側の端部、及び湾曲部５１における−Ｚ軸側の端部５１Ａ（図２，図４）間に架設されている。
【００２９】
以上説明したワイヤー５２１は、折り曲げることも、捻じることも可能であり、さらには折り曲げられた状態や捻じられた状態で装着可能に構成されている。
すなわち、上述したようにワイヤー５２１が捻じることも可能に構成されていることから、第１接続部５２及び湾曲部５１同士は、ワイヤー５２１の中心に沿って延びる仮想線Ａｘ１（図４）を中心として、相対的に回転可能に構成されている。
被複部材５４２は、ワイヤー５２１を被覆する部材であり、ゴムやスポンジ等の弾性材料から構成され、ワイヤー５２１が挿通される円筒形状を有する。
【００３０】
第２接続部５３は、２つの湾曲部５１を接続する。
この第２接続部５３は、図２に示すように、基部５３１と、２つの延出部５３２とを備える。
基部５３１は、樹脂材料または金属材料等から構成され、図２中、Ｘ軸に沿って延出する円柱形状を有する。
２つの延出部５３２は、基部５３１の両端からそれぞれ−Ｚ軸側に向けて略平行に延出し、２つの湾曲部５１における＋Ｚ軸側の各端部５１Ｂ（図２）にそれぞれ接続される。
これら延出部５３２は、図１に示すように、装着部５が観察者の頭部に装着された状態で、観察者の側方から見て（Ｘ軸に沿う方向から見て）、湾曲部５１から離間するにしたがって（＋Ｚ軸側に向うにしたがって）下方に傾斜して延びるようにそれぞれ形成されている。
【００３１】
図５は、湾曲部５１と第２接続部５３（延出部５３２）との接続構造を示す図である。
そして、２つの延出部５３２と２つの湾曲部５１とは、図５に示す接続構造により、それぞれ接続されている。
なお、２つの延出部５３２と２つの湾曲部５１との各接続構造は、同様であるため、以下では、一方の延出部５３２と一方の湾曲部５１との接続構造についてのみ説明する。
先ず、湾曲部５１における＋Ｚ軸側の端部５１Ｂの形状について説明する。
端部５１Ｂには、図５に示すように、−Ｚ軸側の端部５１Ａ側に向けて窪む略円柱状の凹部５１１が形成されている。
また、湾曲部５１には、外周部分から凹部５１１に貫通し、当該湾曲部５１における円柱状の周方向に沿って延びるトラック孔５１２が形成されている。
このトラック孔５１２は、湾曲部５１における円柱状の周方向に沿って、当該周方向における全周の略半分を占めるように延びている。
【００３２】
次に、延出部５３２における−Ｚ軸側の端部５３２Ａの形状について説明する。
端部５３２Ａには、図５に示すように、凹部５１１に挿通される円柱状の突出部５３２Ｂが形成されている。
また、突出部５３２Ｂの外周部分には、ネジ５４（図５）が螺合されるネジ孔５３２Ｃが形成されている。
【００３３】
そして、湾曲部５１と第２接続部５３とは、以下に示すように、接続される。
すなわち、作業者は、凹部５１１に突出部５３２Ｂを挿通する。
また、作業者は、湾曲部５１の外部からトラック孔５１２にネジ５４を挿通し、当該ネジ５４をネジ孔５３２Ｃに螺合する。
以上のように、湾曲部５１と第２接続部５３とを接続することで、ネジ５４により湾曲部５１（凹部５１１）からの第２接続部５３（突出部５３２Ｂ）の抜けが防止される。また、湾曲部５１及び第２接続部５３同士は、トラック孔５１２に沿ってネジ５４が案内されるため、凹部５１１の中心に沿って延びる仮想線Ａｘ２（図５）を中心として、相対的に回転可能となる。
【００３４】
〔制御装置の構成〕
制御装置９は、外装筐体９１（図１，図２）内部にＣＰＵ(Central Processing Unit)等の演算装置やメモリー等の記憶装置が収納された構成を有する。
そして、制御装置９は、記憶装置に記憶されている画像データに基づいて、表示素子６を駆動し、画像データに基づく画像光を表示素子６に形成させる。
外装筐体９１は、図２に示すように、Ｘ軸方向に沿って延びる平面視略楕円形状を有し、装着部５（基部５３１）に接続されている。
そして、制御装置９は、装着部５が観察者の頭部に装着された状態で、観察者の後頭部に当接する。
【００３５】
図６は、装着部５と制御装置９との接続構造を示す図である。
外装筐体９１において、−Ｚ軸側の端面９１Ａには、図６に示すように、基部５３１が挿通される２つの軸支部９１ＢがＸ軸に沿って並設されている。
すなわち、装着部５及び制御装置９同士は、基部５３１（Ｘ軸）を中心として、相対的に回転可能に構成されている。
また、−Ｚ軸側の端面９１Ａには、図６に示すように、基部５３１に対して、上側の領域、及び下側の領域の双方に、それぞれクッション部材９１Ｃが取り付けられている。
【００３６】
〔鼻パッド部の構成〕
鼻パッド部１０は、図１に示すように、観察者に頭部装着型表示装置１が装着された状態で、観察者の鼻に当接する部分である。
この鼻パッド部１０は、図２に示すように、観察者の鼻の左側に当接する左側パッド１０Ａと、当該鼻の右側に当接する右側パッド１０Ｂと、各パッド１０Ａ，１０Ｂを支持する円柱状の支持部１０Ｃとを備える。
そして、鼻パッド部１０は、支持部１０Ｃにおける両端のうち、いずれか一端がリム４に形成された嵌合孔４１（図７）に嵌合することで、リム４に取り付けられる。
具体的に、頭部装着型表示装置１を左目用（観察者が左目にて画像光を認識する状態）で用いる場合には、支持部１０Ｃにおける左側パッド１０Ａ側の一端を嵌合孔４１に嵌合させる（図２）。
一方、頭部装着型表示装置１を右目用（観察者が右目にて画像光を認識する状態）で用いる場合には、支持部１０Ｃにおける右側パッド１０Ｂ側の一端を嵌合孔４１に嵌合させる（図９参照）。
【００３７】
〔左，右目用の切替〕
次に、上述した頭部装着型表示装置１における左，右目用の切替作業を説明する。
図７ないし図９は、頭部装着型表示装置１の左，右目用の切替作業を説明するための図である。
なお、図７ないし図９では、説明の便宜上、図７及び図８でリム４から鼻パッド部１０を取り外した状態を示し、図９でリム４に鼻パッド部１０を取り付けた状態を示している。
以下では、説明の便宜上、頭部装着型表示装置１を、左目用から右目用に切り替える作業について説明する。右目用から左目用への切替作業も同様である。
【００３８】
先ず、観察者は、図７に示すように、頭部装着型表示装置１を、図２に示す状態（左目用に切り替えられた状態）から、仮想線Ａｘ２（図５）を中心として、第２接続部５３（２つの延出部５３２）に対して２つの湾曲部５１を１８０°回転させる。
次に、観察者は、図８に示すように、図７に示す頭部装着型表示装置１の上下を引っくり返す。すなわち、観察者に頭部装着型表示装置１が装着された状態で、観察者の左側に位置していた表示部２を、観察者の右側に位置するように設定する。
なお、図８では、説明の便宜上、図７に示す頭部装着型表示装置１の上下を引っくり返した後、基部５３１を中心として装着部５に対して制御装置９を回転させ、制御装置９の姿勢を図２に示す姿勢と同一のものとしている。
そして、最後に、観察者は、図９に示すように、図８に示す状態の頭部装着型表示装置１を、仮想線Ａｘ１（図４）を中心として、湾曲部５１に対して第１接続部５２（表示部２も含む）を１８０°回転させる。
また、観察者は、支持部１０Ｃにおける右側パッド１０Ｂ側の一端を嵌合孔４１に嵌合させることで、リム４に鼻パッド部１０を取り付ける。
以上の作業により、頭部装着型表示装置１は、左目用から右目用に切り替えられる。
【００３９】
上述した第１実施形態によれば、以下の効果がある。
本実施形態では、装着部５は、湾曲部５１及び第１，第２接続部５２，５３を備えるので、表示部２を着脱することなく、上述した作業により左目用または右目用に容易に切り替えることができる。また、表示部２を着脱する構造が不要となるため、構造の簡素化が図れる。
また、第１接続部５２が折り曲げ可能、かつ折り曲げられた状態で装着可能に構成されているので、観察者は、頭部装着型表示装置１を装着した状態で、第１接続部５２を折り曲げることで、自身の左目または右目に対する所望の位置に容易に表示部２を位置付けることができる。
特に、第１接続部５２がワイヤー５２１及び被覆部材５２２を備えるので、ワイヤー５２１を捻じることで湾曲部５１及び第１接続部５２同士を相対的に回転可能とするとともに、ワイヤー５２１を折り曲げることで第１接続部５２自体を折り曲げ、かつその状態で装着可能とすることができる。
したがって、第１接続部５２の構造の簡素化が図れる。
【００４０】
さらに、装着部５には、観察者の頭部に当接する制御装置９が取り付けられている。
このことにより、観察者による頭部装着型表示装置１の装着感を向上させることができる。
また、装着部５及び制御装置９同士は、相対的に回転可能に構成されている。
このことにより、左目用で装着した場合であっても、右目用で装着した場合であっても、観察者の頭部に合わせて装着部５に対して制御装置９を回転させることができ、観察者の頭部への制御装置９の当接状態を略同一のものとすることができる。
したがって、左目用で装着した場合と、右目用で装着した場合とで、観察者による頭部装着型表示装置１の装着感を略同一のものとすることができる。
【００４１】
さらに、制御装置９の外装筐体９１にはクッション部材９１Ｃが設けられているので、観察者に頭部装着型表示装置１が装着された状態では、クッション部材９１Ｃを観察者の頭部に応じて変形させ、観察者の頭部にクッション部材９１Ｃをフィットさせることができる。
したがって、観察者による頭部装着型表示装置１の装着感をさらに向上させることができる。
【００４２】
また、第２接続部５３が基部５３１及び延出部５３２を備えるので、観察者に頭部装着型表示装置１が装着された状態で、観察者の頭部のうち、後頭部に基部５３１を位置付けることができる。また、制御装置９が基部５３１に取り付けられているので、観察者に頭部装着型表示装置１が装着された状態で、制御装置９を観察者の後頭部に当接させることができる。
したがって、頭部装着型表示装置１を観察者に安定した状態で装着させることができる。
【００４３】
さらに、延出部５３２及び湾曲部５１がそれぞれ２つ設けられているので、観察者に頭部装着型表示装置１が装着された状態で、２つの湾曲部５１を観察者の両耳に保持させることができる。
したがって、頭部装着型表示装置１を観察者に、より一層、安定した状態で装着させることができる。
【００４４】
[第２実施形態]
次に、本発明の第２実施形態を図面に基づいて説明する。
以下の説明では、前記第１実施形態と同様の構成及び同一部材には同一の符号を付して、その詳細な説明は省略または簡略化する。
図１０は、第２実施形態における頭部装着型表示装置１の外観を示す斜視図である。
本実施形態では、前記第１実施形態に対して、図１０に示すように、第１接続部５２の構造、及び第１接続部５２と湾曲部５１との接続構造が異なるのみである。
その他の構成は、前記第１実施形態と同様である。
【００４５】
第２実施形態における第１接続部５２は、図１０に示すように、回転部５２３と、折曲部５２４とを備える。
回転部５２３は、樹脂材料または金属材料等から構成され、略円柱形状を有する。
折曲部５２４は、金属製の蛇腹管で構成され、フレーム８における＋Ｚ軸側の端部と、回転部５２３における−Ｚ軸側の端部とを接続する。
そして、折曲部５２４は、上述した金属製の蛇腹管で構成されているため、折り曲げ可能、かつ折り曲げられた状態で装着可能とする。
【００４６】
図１１は、湾曲部５１と第１接続部５２との接続構造を示す図である。
そして、第２実施形態では、湾曲部５１と第１接続部５２とは、図１１に示す接続構造により、接続されている。
湾曲部５１における−Ｚ軸側の端部５１Ａは、図１１に示すように、＋Ｚ軸側の端部５１Ｂと同様の構造を有し、端部５１Ｂに設けられた凹部５１１及びトラック孔５１２と同様の凹部５１３及びトラック孔５１４を有する。
また、回転部５２３は、図１１に示すように、延出部５３２における−Ｚ軸側の端部５３２Ａと同様の構造を有し、端部５３２Ａに設けられた突出部５３２Ｂ（ネジ孔５３２Ｃも含む）と同様の突出部５２３Ａ（ネジ孔５２３Ｂも含む）を有する。
そして、湾曲部５１と第１接続部５２とは、湾曲部５１と第２接続部５３との接続と同様に、ネジ５５を利用して接続される。
すなわち、第２実施形態では、湾曲部５１及び第１接続部５２同士は、湾曲部５１及び第２接続部５３同士と同様に、凹部５１３の中心に沿って延びる仮想線Ａｘ３（図１１）を中心として、相対的に回転可能に構成されている。
【００４７】
上述した第２実施形態によれば、前記第１実施形態と同様の効果の他、以下の効果がある。
本実施形態では、第１接続部５２が回転部５２３及び折曲部５２４を備えるので、湾曲部５１に対して回転部５２３を回転させることで湾曲部５１及び第１接続部５２同士を相対的に回転可能とするとともに、折曲部５２４を折り曲げることで第１接続部５２自体を
折り曲げ、かつその状態で装着可能とすることができる。
したがって、第１接続部５２の構造の簡素化が図れる。
【００４８】
なお、本発明は前述の実施形態に限定されるものではなく、本発明の目的を達成できる範囲での変形、改良等は本発明に含まれるものである。
前記各実施形態では、頭部装着型表示装置１は、透過型の液晶表示デバイス６１を備えた表示素子６を採用していたが、これに限らず、その他の構成、例えば、反射型の液晶表示デバイスや、デジタル・マイクロミラー・デバイス等を備えた表示素子を採用しても構わない。また、有機ＥＬ(Electro Luminescence)等の自己発光型の表示素子を採用しても構わない。
前記各実施形態では、頭部装着型表示装置１は、導光板３を介して表示素子６から出射された画像光を観察者に認識させる虚像表示型であったが、これに限らず、表示素子６から出射された画像光を観察者に直接認識させる直接表示型としても構わない。また、同後部としては、導光板３に限らず、ミラー等の他の構成を採用しても構わない。
【００４９】
前記各実施形態において、湾曲部５１と、第１，第２接続部５２，５３との各接続構造は、前記各実施形態で説明した各接続構造に限らず、その他の接続構造を採用しても構わない。
また、第１接続部５２の構造についても、折り曲げ可能、かつ折り曲げられた状態で装着可能であれば、その他の構造を採用しても構わない。
【産業上の利用可能性】
【００５０】
本発明は、ヘッドマウントディスプレイ等の頭部装着型表示装置に利用できる。
【符号の説明】
【００５１】
１・・・頭部装着型表示装置、２・・・表示部、５・・・装着部、９・・・制御装置（当接部）、５１・・・湾曲部、５２・・・第１接続部、５３・・・第２接続部、９１Ｃ・・・クッション部材、５２１・・・ワイヤー、５２２・・・被覆部材、５２３・・・回転部、５２４・・・折曲部、５３１・・・基部、５３２・・・延出部。
【図１】
2013162363.tif 000003
【図２】
2013162363.tif 000004
【図３】
2013162363.tif 000005
【図４】
2013162363.tif 000006
【図５】
2013162363.tif 000007
【図６】
2013162363.tif 000008
【図７】
2013162363.tif 000009
【図８】
2013162363.tif 000010
【図９】
2013162363.tif 000011
【図１０】
2013162363.tif 000012
【図１１】
2013162363.tif 000013